(57)【要約】【課題】  イオン水生成装置を流し台のシンクから離れた位置に設置する場合にも、新たな費用が発生したり、交換の手間がかかるということがなく、流し台の調理スペースや台所の床などを生成したイオン水で濡らしたりすることがなく、しかも非常に使用し易いイオン水生成装置を提供する。【解決手段】  アルカリ性イオン水および酸性イオン水の流水用ホース４の流出口４ｃを、流し台ＦのシンクＳの近傍に設置した水栓スタンド１１に連結したものとし、前記水栓スタンド１１に、アルカリ性イオン水および酸性イオン水の給水用の蛇口１１ａと排水用の蛇口１１ｂをシンクＳ内に向くようにしてそれぞれ設けたものとしている。【選択図】    図１
2005046757.tif 000002
【特許請求の範囲】
【請求項１】
アルカリ性イオン水および酸性イオン水の流水用ホース（４）の流出口（４ｃ）を、流し台（Ｆ）のシンク（Ｓ）の近傍に設置した水栓スタンド（１１）に連結したものとし、前記水栓スタンド（１１）に、アルカリ性イオン水および酸性イオン水の給水用の蛇口（１１ａ）と排水用の蛇口（１１ｂ）を前記シンク（Ｓ）内に向くようにしてそれぞれ設けたことを特徴とするイオン水生成装置。
【請求項２】
前記流水用ホース（４）を、アルカリ性イオン水および酸性イオン水の給水用ホース（４ａ）と排水用ホース（４ｂ）の二本にしたことを特徴とする請求項１記載のイオン水生成装置。
【請求項３】
前記流水用ホース（４）を、アルカリ性イオン水および酸性イオン水の給水用通路と排水用通路を一本のホース内部に形成したことを特徴とする請求項１記載のイオン水生成装置。
【請求項４】
前記給水用の蛇口（１１ａ）を水栓スタンド（１１）の上部に設け、排水用の蛇口（１１ｂ）を水栓スタンド（１１）の下部に設けたことを特徴とする請求項１記載のイオン水生成装置。
【請求項５】
前記水栓スタンド（１１）に、流水用ホース（４）からのアルカリ性イオン水および酸性イオン水の流水を停止させておくための止水レバー（１２）を設けたことを特徴とする請求項１記載のイオン水生成装置。
【発明の詳細な説明】
【技術分野】
【０００１】
この発明は、水道水などの原水を電気分解して、アルカリ性イオン水と酸性イオン水を製造するイオン水生成装置に関するものである。
【背景技術】
【０００２】
従来のイオン水生成装置は、例えば図１０、１１に示すように、水道水などの原水を処理する水処理部２１をケーシング２２内に収容している。２３は水栓Ｃの蛇口Ｃａなどに直結される原水ホースであり、ケーシング２２の底部から伸延している。２４は水処理部２１で処理した処理水を吐出する吐出ノズルであり、ケーシング２２の上面に設けている。この吐出ノズル２４の吐出口２４ａには、図９に示すように流し台ＦのシンクＳ内にその先端開口Ｄａが垂れるように伸延させたデリバリーパイプＤを取り付けたものとしている。
【０００３】
水処理部２１は、原水ホース２３の終端と連結した原水流入口３１と吐出ノズル２４の吐出口２４ａとを各パイプにより連通連結した処理流路Ｒ1 、Ｒ2 、Ｒ3 、Ｒ4 、Ｒ5 を具備しており、これら処理流路中に上流側から順に、浄水用カートリッジ２８を配設したカートリッジ連結部２５、カルシウムケース２６、電解槽２７を配設している。電解槽２７は、通常は酸性イオン水を生成する陽極室と、通常はアルカリ性イオン水を生成する陰極室とに隔離形成されており、陽極室の上部に処理流路Ｒ3 の基端を連通連結すると共に、陰極室の上部に処理流路Ｒ4 を連通連結し、処理流路Ｒ3 の先端開口３２に連結した排水ホース２９の先端開口２９ａを流し台ＦのシンクＳ内に臨むように伸延させている。
【０００４】
ケーシング２２内には、電解槽２７へ通電する電源などを具備した電装部３３と、この電装部３３に電気的に接続され、ケーシング２２の表面に設けられる操作・表示パネルＰの裏側に配設された基板３４とを具備しており、操作・表示パネルＰに設けた各種のスイッチの操作により、アルカリ性イオン水モードと、酸性イオン水モードとに運転を切換可能としている。ここでアルカリ性イオン水モードとは、飲用に適する３段階のｐＨ値（８．５、９．０、９．５）のアルカリ性イオン水と、料理用などに適するｐＨ値１０程度の強アルカリ性イオン水とを生成可能なモードであり、デリバリーパイプＤの先端開口Ｄａからアルカリ性イオン水が吐出される。このとき同時に生成される酸性イオン水は、処理流路Ｒ3 の先端開口３２に連結した排水ホース２９の先端開口２９ａから排出される。また、酸性イオン水モードとは、洗顔などに適するｐＨ値５．５程度の酸性イオン水を生成可能なモードであり、デリバリーパイプＤの先端開口Ｄａから酸性イオン水が吐出される。このとき同時に生成されるアルカリ性イオン水は、処理流路Ｒ3 の先端開口３２に連結した排水ホース２９の先端開口２９ａから排出される。
【特許文献１】特開２００１−２０５２５５号公報（第４頁、図１、図２）
【発明の開示】
【発明が解決しようとする課題】
【０００５】
しかしながら、上記従来のイオン水生成装置は、流し台ＦのシンクＳの近傍に設置し、アルカリ性イオン水と酸性イオン水とを吐出するデリバリーパイプＤの先端開口Ｄａや排水ホース２９の先端開口２９ａを、流し台ＦのシンクＳ内に垂れるように伸延させているが、使用者の流し台スペースは各々異なるため、場合によってはシンクＳから離れた位置に設置しなければならず、その都度デリバリーパイプＤや排水ホース２９の長さを調節する必要がある。そのため、新たな費用が発生したり、交換の手間がかかるという問題点を有していた。
【０００６】
さらに、上記従来のイオン水生成装置を流し台ＦのシンクＳから離れた位置に設置し、デリバリーパイプＤや排水ホース２９を長くした場合、これらが移動し易くなり、何かの拍子にこれらデリバリーパイプＤの先端開口Ｄａや排水ホース２９の先端開口２９ａがシンクＳ内から外へそれてしまい、流し台の調理スペースや台所の床などを生成したイオン水で濡らしたりすることがあるという問題点を有していた。
【０００７】
また、上記従来のイオン水生成装置では、デリバリーパイプＤの先端開口Ｄａや排水ホース２９の先端開口２９ａを流し台ＦのシンクＳ内に垂れるように伸延させているので、これら先端開口Ｄａ、２９ａがシンクＳの底面に接近することになり、アルカリ性イオン水を飲用する場合にコップに注ぎ難くなったり、酸性イオン水で洗顔などする場合に先端開口Ｄａの下に手を持っていき難くなったりして、非常に使用し辛いという問題点を有していた。
【０００８】
そこで、この発明は、上記従来の問題点を解決することをその課題としており、イオン水生成装置を流し台のシンクから離れた位置に設置する場合にも、新たな費用が発生したり、交換の手間がかかるということがなく、流し台の調理スペースや台所の床などを生成したイオン水で濡らしたりすることがなく、しかも非常に使用し易いイオン水生成装置を提供することを目的としてなされたものである。
【課題を解決するための手段】
【０００９】
そのため、この発明のイオン水生成装置は、アルカリ性イオン水および酸性イオン水の流水用ホース４の流出口４ｃを、流し台ＦのシンクＳの近傍に設置した水栓スタンド１１に連結したものとし、前記水栓スタンド１１に、アルカリ性イオン水および酸性イオン水の給水用の蛇口１１ａと排水用の蛇口１１ｂをシンクＳ内に向くようにしてそれぞれ設けたものとしている。
【００１０】
そして、この発明のイオン水生成装置は、前記流水用ホース４を、アルカリ性イオン水および酸性イオン水の給水用ホース４ａと排水用ホース４ｂの二本にしたものとすることができる。
【００１１】
さらに、この発明のイオン水生成装置は、前記流水用ホース４を、アルカリ性イオン水および酸性イオン水の給水用通路と排水用通路を一本のホース内部に形成したものとすることができる。
【００１２】
また、この発明のイオン水生成装置は、前記給水用の蛇口１１ａを水栓スタンド１１の上部に設け、排水用の蛇口１１ｂを水栓スタンド１１の下部に設けたものとすることができる。
【００１３】
さらにまた、この発明のイオン水生成装置における前記水栓スタンド１１には、流水用ホース４からのアルカリ性イオン水および酸性イオン水の流水を停止させておくための止水レバー１２を設けたものとすることができる。
【発明の効果】
【００１４】
この発明のイオン水生成装置は、以上に述べたように構成されているので、イオン水生成装置を流し台のシンクから離れた位置に設置する場合にも、新たな費用が発生したり、交換の手間がかかるということがなく、流し台の調理スペースや台所の床などを生成したイオン水で濡らしたりすることがなく、しかも非常に使用し易いものとなった。
【発明を実施するための最良の形態】
【００１５】
以下、この発明のイオン水生成装置を実施するための最良の形態について、図面に基づいて詳細に説明する。
【００１６】
図１〜３はこの発明の第一実施形態を示しており、図４、５はこの発明の第二実施形態を示しており、何れも水道水などの原水を処理する水処理部１をケーシング２内に収容しており、このケーシング２の底部から水道用の水栓Ｃの蛇口Ｃａなどに連結される原水ホース３を伸延している。４はアルカリ性イオン水および酸性イオン水の流水用ホースであり、第一実施形態では、この流水用ホース４をアルカリ性イオン水および酸性イオン水の給水用ホース４ａと排水用ホース４ｂの二本にしたものとしており、第二実施形態では、アルカリ性イオン水および酸性イオン水の給水用通路と排水用通路（何れも図示せず）を一本のホース内部に形成したものとしている。
【００１７】
そして、前記アルカリ性イオン水および酸性イオン水の流水用ホース４の流出口４ｃを、流し台ＦのシンクＳの近傍に設置した水栓スタンド１１に連結したものとしている。前記水栓スタンド１１には、アルカリ性イオン水および酸性イオン水の給水用の蛇口１１ａと排水用の蛇口１１ｂをシンクＳ内に向くようにしてそれぞれ設けたものとしている。なお、給水用の蛇口１１ａは水栓スタンド１１の上部に設け、排水用の蛇口１１ｂは水栓スタンド１１の下部に設けたものとしている。さらに、第二実施形態では、前記水栓スタンド１１には、流水用ホース４からのアルカリ性イオン水および酸性イオン水の流水を停止させておくための止水レバー１２を設けたものとしている。
【００１８】
ここで、給水用とは、後に述べるアルカリ性イオン水モードにおける飲用や調理用などに適したアルカリ性イオン水の流水に供する場合や、酸性イオン水モードにおける洗顔などに適した酸性イオン水の流水に供する場合や、衛生水モードにおける殺菌、消毒用に適した強酸性イオン水の流水に供する場合をいう。また、排水用とは、アルカリ性イオン水モードにおいて同時に生成される酸性イオン水の流水に供する場合や、酸性イオン水モードにおいて同時に生成されるアルカリ性イオン水の流水に供する場合や、衛生水モードにおいて同時に生成される強アルカリ性イオン水の流水に供する場合をいう。
【００１９】
水処理部１は、図２、３、５、６に示すように、前記原水ホース３の終端と接続した原水流入口３ａと、流水用ホース４の流入口４ｄとを各パイプにより連通連結した処理流路Ｒ1 、Ｒ2 、Ｒ3 、Ｒ4 、Ｒ5 、Ｒ6 を具備しており、これら処理流路中に上流から順に、浄水用カートリッジ５を配設したカートリッジ連結部６、カルシウムケース７、電解槽８を配設している。
【００２０】
図中、処理流路Ｒ1 はカートリッジ連結部６とカルシウムケース７を連通連結する流路、処理流路Ｒ2 はカルシウムケース７と電解槽８を連通連結する流路、処理流路Ｒ3 は電解槽８の陽極室８ａから伸延させた流路、処理流路Ｒ4 は電解槽８の陰極室８ｂから伸延させた流路、処理流路Ｒ5 は処理流路Ｒ2 の中途と処理流路Ｒ3 の中途とを連通連結するバイパス流路であり、中途にボール弁からなる逆止弁Ｖを設けている。また、この処理流路Ｒ5 の逆止弁Ｖ上流側と前記処理流路Ｒ1 の中途とをバイパス流路である処理流路Ｒ6 で連通連結している。
【００２１】
前記電解槽８は、通常は酸性イオン水を生成する陽極室８ａと、通常はアルカリ性イオン水を生成する陰極室８ｂとに隔離形成されており、陽極室８ａの上部に処理流路Ｒ3 の基端を連通連結すると共に、陰極室８ｂの上部に処理流路Ｒ4 の基端を連通連結し、処理流路Ｒ3 、Ｒ4 の先端開口は、流水用ホース４の流入口４ｄに連結具１３を介して連結され、この流水用ホース４の流出口４ｃを、流し台ＦのシンクＳの近傍に設置した水栓スタンド１１に連結したものとしている。
【００２２】
前記連結具１３は、流水用ホース４を給水用ホース４ａと排水用ホース４ｂの二本にしたものとした場合には、図７に示したように、処理流路Ｒ3 、Ｒ4 の先端開口がそれぞれ螺着自在とした二個の螺着部１３ａ、１３ａと、給水用ホース４ａと排水用ホース４ｂの流入口４ｄがそれぞれ螺着自在とした二個の螺着部１３ｂ、１３ｂを有したものとしている。また、前記連結具１３は、流水用ホース４を給水用通路と排水用通路を一本のホース内部に形成したものとした場合には、図８に示したように、処理流路Ｒ3 、Ｒ4 の先端開口がそれぞれ螺着自在とした二個の螺着部１３ａ、１３ａと、流水用ホース４の給水用通路と排水用通路とにそれぞれ接続する給水路１４ａと排水路１４ｂを形成して、流水用ホース４の流入口４ｄが螺着自在とした一個の螺着部１３ｂを有したものとしている。
【００２３】
また、ケーシング２内には、電解槽８へ通電する電源などを具備した電装部９と、この電装部９に電気的に接続され、ケーシング２の表面に設けられる操作・表示パネルＰの裏側に配設された基板１０とを具備しており、操作・表示パネルＰに設けた各種のスイッチの操作により、アルカリ性イオン水モードと、酸性イオン水モード、衛生水モードとに運転を切換可能としている。
【００２４】
ここでアルカリ性イオン水モードとは、飲用に適する３段階のｐＨ値（８．５、９．０、９．５）のアルカリ性イオン水と、料理用などに適するｐＨ値１０程度の強アルカリ性イオン水とを生成可能なモードであり、処理流路Ｒ4 の先端開口からアルカリ性イオン水が吐出される。このとき同時に生成される酸性イオン水は処理流路Ｒ3 の先端開口から排出される。
【００２５】
また、酸性イオン水モードとは、洗顔などに適するｐＨ値５．５程度の酸性イオン水を生成可能なモードであり、処理流路Ｒ4 の先端開口から酸性イオン水が吐出される。このとき同時に生成されるアルカリ性イオン水は処理流路Ｒ3 の先端開口から排出される。
【００２６】
さらに、衛生水モードとは、殺菌、消毒用に供されるｐＨ値２．５程度の強酸性イオン水を生成可能なモードであり、この衛生水モードを選択した場合には、電解槽８への通電を正負逆転させるようにして、処理流路Ｒ4 の先端開口から所望する強酸性イオン水が吐出されるようにしている。このとき同時に生成される強アルカリ性イオン水は処理流路Ｒ3 の先端開口か排出される。
【００２７】
そこで、この発明のイオン水生成装置において、アルカリ性イオン水モードを選択した場合には、第一実施形態では、処理流路Ｒ4 の先端開口から吐出されるアルカリ性イオン水は、流水用ホース４の給水用ホース４ａに流入し、水栓スタンド１１の給水用の蛇口１１ａから給水され、処理流路Ｒ3 の先端開口から排出される同時に生成された酸性イオン水は、流水用ホース４の排水用ホース４ｂに流入し、水栓スタンド１１の排水用の蛇口１１ｂから排水される。また、第二実施形態では、処理流路Ｒ4 の先端開口から吐出されるアルカリ性イオン水は、流水用ホース４の給水用通路に流入し、水栓スタンド１１の給水用の蛇口１１ａから給水され、処理流路Ｒ3 の先端開口から排出される同時に生成された酸性イオン水は、流水用ホース４の排水用通路に流入し、水栓スタンド１１の排水用の蛇口１１ｂから排水される。
【００２８】
そして、この発明のイオン水生成装置において、酸性イオン水モードを選択した場合には、第一実施形態では、処理流路Ｒ4 の先端開口から吐出される酸性イオン水は、流水用ホース４の給水用ホース４ａに流入し、水栓スタンド１１の給水用の蛇口１１ａから給水され、処理流路Ｒ3 の先端開口から排出される同時に生成されたアルカリ性イオン水は、流水用ホース４の排水用ホース４ｂに流入し、水栓スタンド１１の排水用の蛇口１１ｂから排水される。また、第二実施形態では、処理流路Ｒ4 の先端開口から吐出される酸性イオン水は、流水用ホース４の給水用通路に流入し、水栓スタンド１１の給水用の蛇口１１ａから給水され、処理流路Ｒ3 の先端開口から排出される同時に生成されたアルカリ性イオン水は、流水用ホース４の排水用通路に流入し、水栓スタンド１１の排水用の蛇口１１ｂから排水される。
【００２９】
さらに、この発明のイオン水生成装置において、衛生水モードを選択した場合には、第一実施形態では、処理流路Ｒ4 の先端開口から吐出される強酸性イオン水は、流水用ホース４の給水用ホース４ａに流入し、水栓スタンド１１の給水用の蛇口１１ａから給水され、処理流路Ｒ3 の先端開口から排出される同時に生成された強アルカリ性イオン水は、流水用ホース４の排水用ホース４ｂに流入し、水栓スタンド１１の排水用の蛇口１１ｂから排水される。また、第二実施形態では、処理流路Ｒ4 の先端開口から吐出される強酸性イオン水は、流水用ホース４の給水用通路に流入し、水栓スタンド１１の給水用の蛇口１１ａから給水され、処理流路Ｒ3 の先端開口から排出される同時に生成された強アルカリ性イオン水は、流水用ホース４の排水用通路に流入し、水栓スタンド１１の排水用の蛇口１１ｂから排水される。
【００３０】
なお、前記この発明のイオン水生成装置の第二実施形態では、水栓スタンド１１に設けた止水レバー１２の操作により、水道水の水栓Ｃを操作しないでも、流水用ホース４からのアルカリ性イオン水および酸性イオン水の流水を停止させておくことができる。
【００３１】
したがって、この発明のイオン水生成装置は、水栓スタンド１１の給水用の蛇口１１ａや排水用の蛇口１１ｂがシンクＳ上方から外へそれることがないので、流し台の調理スペースや台所の床などを生成したイオン水で濡らしたりすることはない。また、前記蛇口１１ａから給水されるアルカリ性イオン水を飲用する場合にはコップなどに注ぎ易くなり、前記蛇口１１ａから給水される酸性イオン水で洗顔などする場合には蛇口１１ａの下に手を持っていき易くなり、使用し易いものとなる。
【図面の簡単な説明】
【００３２】
【図１】この発明のイオン水生成装置の第一実施形態の外観設置図である。
【図２】図１に示すこの発明のイオン水生成装置を正面側から見た内部の説明図である。
【図３】図１に示すこの発明のイオン水生成装置を背面側から見た内部の説明図である。
【図４】この発明のイオン水生成装置の第二実施形態の外観設置図である。
【図５】図４に示すこの発明のイオン水生成装置を背面側から見た内部の説明図である。
【図６】この発明のイオン水生成装置の流路を模式的に示した説明図である。
【図７】この発明のイオン水生成装置の第一実施形態における処理流路と流水用ホースの連結具の斜視図である。
【図８】この発明のイオン水生成装置の第二実施形態における処理流路と流水用ホースの連結具の斜視図である。
【図９】従来のイオン水生成装置の外観設置図である。
【図１０】従来のイオン水生成装置を正面側から見た内部の説明図である。
【図１１】従来のイオン水生成装置を背面側から見た内部の説明図である。
【符号の説明】
【００３３】
４  流水用ホース
４ａ  給水用ホース
４ｂ  排水用ホース
４ｃ  流出口
１１  水栓スタンド
１１ａ  蛇口
１１ｂ  蛇口
１２  止水レバー
Ｆ  流し台
Ｓ  シンク
【図１】
2005046757.tif 000003
【図２】
2005046757.tif 000004
【図３】
2005046757.tif 000005
【図４】
2005046757.tif 000006
【図５】
2005046757.tif 000007
【図６】
2005046757.tif 000008
【図７】
2005046757.tif 000009
【図８】
2005046757.tif 000010
【図９】
2005046757.tif 000011
【図１０】
2005046757.tif 000012
【図１１】
2005046757.tif 000013